(57)【要約】【課題】  情報記憶媒体の状態情報をホストコンピュータにバスインタフェースにて接続せずＩＣタグを使用した無線通信によりリモートで確認でき、更に情報記憶媒体単体で情報を参照できる情報記憶媒体を提供する。【解決手段】  稼働に伴い、状態情報を逐次出力するストレージ部と、ストレージ部が出力した状態情報を記憶する識別・履歴情報記憶部と、接続する装置の無線通信部と無線インタフェースにて接続し、無線通信部の電力供給を受け、識別・履歴情報記憶部が記憶する状態情報を装置に送信する無線タグ部と、太陽電池を用いて電力を出力する太陽電池部と、太陽電池部からの電力供給を受け、受信内容を表示する表示部と、太陽電池部からの電力供給を受け、作業者から入力を受理した場合、識別・履歴情報記憶部が記憶する状態情報を取得し表示部に送信する操作部と、状態に基づき状態情報の出力方法を選択する機能切替部とを備える情報記憶媒体。【選択図】      図１
2016181315.tif 000002
【特許請求の範囲】
【請求項１】
稼働に伴い、識別情報や履歴情報を逐次出力するストレージ部と、
ストレージ部が出力した識別情報や履歴情報を逐次記憶する識別・履歴情報記憶部と、
接続する装置の無線通信部と無線インタフェースにて接続し、前記無線通信部からの電力供給を受け、前記識別・履歴情報記憶部が記憶する識別情報や履歴情報を前記装置に送信する無線タグ部と、
太陽電池を用いて電力を出力する太陽電池部と、
前記太陽電池部からの電力供給を受け、受信内容を表示する表示部と、
前記太陽電池部からの電力供給を受け、作業者からの入力を受理した場合、前記識別・履歴情報記憶部が記憶する識別情報や履歴情報を取得し、前記表示部に送信する操作部と、
状態に基づき、識別情報や履歴情報の出力方法を選択する機能切替部と
を備える情報記憶媒体。
【請求項２】
前記識別・履歴情報記憶部が記憶する履歴情報とは、前記情報記憶媒体のＳ．Ｍ．Ａ．Ｒ．Ｔ（Ｓｅｌｆ−Ｍｏｎｉｔｏｒｉｎｇ，Ａｎａｌｙｓｉｓ  ａｎｄ  Ｒｅｐｏｒｔｉｎｇ  Ｔｅｃｈｎｏｌｏｇｙ）情報である請求項１に記載の情報記憶媒体。
【請求項３】
前記識別・履歴情報記憶部が記憶する識別情報とは、前記情報記憶媒体と前記無線タグ部のシリアル番号の情報である請求項１または２に記載の情報記憶媒体。
【請求項４】
前記機能切替部は、前記情報記憶媒体の状態とあらかじめ設定された提供機能判定辞書の内容に基づき、前記情報記憶媒体の識別情報や履歴情報の出力方法を選択する請求項１ないし３のいずれか１項に記載の情報記憶媒体。
【請求項５】
前記機能切替部は、前記提供機能判定辞書の内容に基づき、前記情報記憶媒体と前記装置とがバスインタフェースにて接続している場合は、バスインタフェースでの接続による前記識別・履歴情報記憶部が記憶する識別情報や履歴情報を含むデータの相互アクセスを可能にし、バスインタフェースにて接続していない場合かつ前記無線タグ部と前記装置の無線通信部とが無線インタフェースにて接続している場合は、無線インタフェースでの接続による前記装置への前記識別・履歴情報記憶部が記憶する識別情報や履歴情報の送信を可能にし、バスインタフェースでの接続も無線インタフェースでの接続もしていない場合かつ前記太陽電池部が電力供給している場合は、前記表示部への前記識別・履歴情報記憶部が記憶する識別情報や履歴情報の表示を可能とする判定を行う請求項４に記載の情報記憶媒体。
【請求項６】
前記機能切替部は、前記提供機能判定辞書の内容に基づき、前記情報記憶媒体と前記装置とがバスインタフェースにて接続している場合かつ無線インタフェースにて接続している場合にのみ、バスインタフェースでの接続による前記識別・履歴情報記憶部が記憶する識別情報や履歴情報を含むデータの相互アクセスを可能とする判定を行う請求項４に記載の情報記憶媒体。
【請求項７】
前記無線タグ部は、前記装置の無線通信部から所定のプログラムを無線インタフェースでの接続により受信する請求項１ないし６のいずれか１項に記載の情報記憶媒体。
【請求項８】
識別・履歴情報記憶部が、ストレージ部が出力した識別情報や履歴情報を逐次記憶し、
機能切替部が、情報記憶媒体の状態に基づき、前記識別・履歴情報記憶部に記憶された識別情報や履歴情報の出力方法を選択し、
前記機能切替部に選択された場合、無線タグ部が、接続する装置の無線通信部と無線インタフェースにて接続し、前記無線通信部からの電力供給を受け、前記識別・履歴情報記憶部が記憶する識別情報や履歴情報を前記装置に送信し、
前記機能切替部に選択された場合、太陽電池部からの電力供給を受け、作業者からの入力を受理した場合、操作部が、前記識別・履歴情報記憶部が記憶する識別情報や履歴情報を取得し、前記表示部に送信し、
前記表示部が、前記太陽電池部からの電力供給を受け、受信内容を表示する
情報記憶媒体の状態情報確認方法。
【請求項９】
前記機能切替部は、前記情報記憶媒体の状態とあらかじめ設定された提供機能判定辞書の内容に基づき、前記情報記憶媒体の識別情報や履歴情報の出力方法を選択する請求項８に記載の情報記憶媒体の状態情報確認方法。
【請求項１０】
前記機能切替部は、前記提供機能判定辞書の内容に基づき、前記情報記憶媒体と前記装置とがバスインタフェースにて接続している場合は、バスインタフェースでの接続による前記識別・履歴情報記憶部が記憶する識別情報や履歴情報を含むデータの相互アクセスを可能にし、バスインタフェースにて接続していない場合かつ前記無線タグ部と前記装置の無線通信部とが無線インタフェースにて接続している場合は、無線インタフェースでの接続による前記装置への前記識別・履歴情報記憶部が記憶する識別情報や履歴情報の送信を可能にし、バスインタフェースでの接続も無線インタフェースでの接続もしていない場合かつ前記太陽電池部が電力供給している場合は、前記表示部への前記識別・履歴情報記憶部が記憶する識別情報や履歴情報の表示を可能とする判定を行う請求項９に記載の情報記憶媒体の状態情報確認方法。
【発明の詳細な説明】
【技術分野】
【０００１】
本発明は、情報記憶媒体の状態を示す情報を格納する情報記憶媒体及び情報記憶媒体の状態を示す情報を確認する方法に関する。
【背景技術】
【０００２】
情報記憶媒体において、情報記憶媒体の状態を示す情報（以後、状態情報と言う）である、たとえば個体識別情報や履歴情報を、ホストコンピュータにバスインタフェースで接続することなくリモートで確認するための技術が知られている。この技術は、情報記憶媒体の個体識別情報や履歴情報を記憶する記憶部に接続された通信手段から、無線通信によって、その記憶部に記憶された情報を取得し、表示デバイスに表示する。
【０００３】
このような技術の一例が特許文献１に記載されている。特許文献１に記載された監視装置は、制御用品の状態を監視する。その監視装置は、制御用品のプロセス値（制御したい値、測定値等）と識別情報をＩＣタグに書き込み、無線送信によってＩＣタグの情報を通信機によって受信し、これをタッチパネルディスプレイに表示する。
【０００４】
また、特許文献２には、ディスク・ドライブにＲＦＩＤタグを取り付け製品／工程情報を記憶する技術が記載されている。
【先行技術文献】
【特許文献】
【０００５】
【特許文献１】特開２０１２−２４２９１４号公報
【特許文献２】特表２００４−５１５０２６号公報
【発明の概要】
【発明が解決しようとする課題】
【０００６】
上述した特許文献１と特許文献２に記載された技術は、どちらも情報を確認するためには、ＩＣタグリーダや通信機を使用し、情報記憶媒体から情報を取得することが必要である。一方、システムから障害として取り除いた情報記憶媒体を取り扱うような保守現場では、情報記憶媒体一つ一つをホストコンピュータにバスインタフェースで接続したりＩＣタグリーダや通信機を使用して状態情報を確認する場合、情報記憶装置単体で情報を参照できないため、ホストコンピュータやＩＣタグリーダや通信機などの設備が必要となる。また、情報記憶媒体を設備へ接続するために保守時間が長くなり、作業の手順が増える。したがって、特許文献１と特許文献２に記載された技術は、保守コストの増加を招くという問題点がある。
【０００７】
本発明の目的の一例は、上述した問題点を解決できる、すなわち、情報記憶媒体単体で情報を参照でき保守コストを削減できる情報記憶媒体及び情報記憶媒体の状態情報確認方法を提供することにある。
【課題を解決するための手段】
【０００８】
本発明の一形態における情報記憶媒体は、稼働に伴い、識別情報や履歴情報を逐次出力するストレージ部と、ストレージ部が出力した識別情報や履歴情報を逐次記憶する識別・履歴情報記憶部と、接続する装置の無線通信部と無線インタフェースにて接続し、無線通信部からの電力供給を受け、識別・履歴情報記憶部が記憶する識別情報や履歴情報を装置に送信する無線タグ部と、太陽電池を用いて電力を出力する太陽電池部と、太陽電池部からの電力供給を受け、受信内容を表示する表示部と、太陽電池部からの電力供給を受け、作業者からの入力を受理した場合、識別・履歴情報記憶部が記憶する識別情報や履歴情報を取得し、表示部に送信する操作部と、状態に基づき、識別情報や履歴情報の出力方法を選択する機能切替部とを備える。
【０００９】
本発明の一形態における情報記憶媒体の状態情報確認方法は、識別・履歴情報記憶部が、ストレージ部が出力した識別情報や履歴情報を逐次記憶し、機能切替部が、情報記憶媒体の状態に基づき、識別・履歴情報記憶部に記憶された識別情報や履歴情報の出力方法を選択し、機能切替部に選択された場合、無線タグ部が、接続する装置の無線通信部と無線インタフェースにて接続し、無線通信部からの電力供給を受け、識別・履歴情報記憶部が記憶する識別情報や履歴情報を装置に送信し、機能切替部に選択された場合、太陽電池部からの電力供給を受け、作業者からの入力を受理した場合、操作部が、識別・履歴情報記憶部が記憶する識別情報や履歴情報を取得し、表示部に送信し、表示部が、太陽電池部からの電力供給を受け、受信内容を表示する。
【発明の効果】
【００１０】
本発明によれば、情報記憶媒体の状態情報、すなわち個体識別情報や履歴情報をホストコンピュータにバスインタフェースで接続することなくＩＣタグを使用した無線通信によりリモートで確認できるだけではなく、更に情報記憶媒体単体で情報を参照でき保守コストを削減できるという効果が得られる。
【図面の簡単な説明】
【００１１】
【図１】図１は、本発明の第１の実施の形態における情報記憶媒体１００とホストコンピュータ２００の構成を示すブロック図である。
【図２】図２は、識別・履歴情報記憶部１２０が記憶する識別情報と履歴情報の一例を示す図である。
【図３】図３は、提供機能判定辞書の一例を示す図である。
【図４】図４は、提供機能判定辞書の別の一例を示す図である。
【発明を実施するための形態】
【００１２】
次に、本発明の実施形態について図面を参照して詳細に説明する。
【００１３】
［第１の実施の形態］
図１は、本発明の第１の実施の形態における情報記憶媒体１００とホストコンピュータ２００の構成を示すブロック図である。図１を参照すると、情報記憶媒体１００は、ストレージ部１１０と識別・履歴情報記憶部１２０と表示部１３０と操作部１４０と太陽電池部１５０と機能切替部１６０と無線タグ部１７０と、を備える。また、情報記憶媒体１００とホストコンピュータ２００とはバスインタフェースにて接続している。ホストコンピュータ２００は、無線通信部２７０を備える。ホストコンピュータ２００の本発明に関与しない制御部や入出力装置などは表記を省略する。
【００１４】
次に、第１の実施の形態における情報記憶媒体１００の構成について説明する。
【００１５】
ストレージ部１１０は、情報記憶媒体１００のストレージ機能の全てである。たとえば、ハードディスクドライブの場合、ディスクやスピンドルモータ、駆動回路、制御回路など、ストレージとして機能するための全ての機能がストレージ部１１０に内包される。但し、情報記憶媒体１００の識別情報や履歴情報は後述する識別・履歴情報記憶部１２０に出力される。識別情報とは、情報記憶媒体１００の個体情報(シリアル番号)と無線タグ部１７０の無線タグの個体情報である。履歴情報とは、情報記憶媒体１００が異常、稼働、寿命などを自己診断するＳ．Ｍ．Ａ．Ｒ．Ｔ（Ｓｅｌｆ−Ｍｏｎｉｔｏｒｉｎｇ，Ａｎａｌｙｓｉｓ  ａｎｄ  Ｒｅｐｏｒｔｉｎｇ  Ｔｅｃｈｎｏｌｏｇｙ：自律監視分析通知技術）情報である。あらかじめ情報記憶媒体１００の個体情報は、ホストコンピュータ２００からの命令のより無線タグ部１７０の無線タグの個体情報に書き込まれ、両方の個体情報が同じ値になるよう管理されてもよいし、別の値のままで管理されてもよい。ホストコンピュータ２００が、情報記憶媒体１００の個体情報を無線タグ部１７０の個体情報に書き込むための構成を有してもよい（本実施形態では割愛する）。識別・履歴情報記憶部１２０が、情報記憶媒体１００と無線タグ部１７０とが１対１として組み合わせられた識別情報を記憶できればよい。
【００１６】
識別・履歴情報記憶部１２０は、ストレージ部１１０が出力した識別情報や履歴情報を逐次記憶する。
【００１７】
図２は、識別・履歴情報記憶部１２０が記憶する識別情報と履歴情報の一例を示す図である。図２に示す識別情報は、無線タグ部と情報記憶媒体のシリアル番号とそれぞれのアクセス許可の可否、履歴情報は、それぞれの情報記憶媒体に対するＳ．Ｍ．Ａ．Ｒ．Ｔ情報とそのアクセス許可の可否の情報で構成される。ただし、アクセス許可の可否の「Ｒ」は情報の読み出し、「Ｗ」は情報の書き込みの可否を示している。なお、無線タグ部シリアルナンバが「ＡＡＡＡＡＡＡＡ」である無線タグ部を無線タグ部１７０とすると、同じ行の情報記憶媒体シリアル番号が「ＡＡＡＡＡＡＡＡ」である情報記憶媒体は情報記憶媒体１００であり、この行のＳ．Ｍ．Ａ．Ｒ．Ｔ情報は、情報記憶媒体１００のＳ．Ｍ．Ａ．Ｒ．Ｔ情報が記憶される。
【００１８】
表示部１３０は、太陽電池部１５０からの電力供給を受け、受信内容を表示する。
【００１９】
操作部１４０は、ボタンやタッチパネルなどの入力デバイスを配置し、太陽電池部１５０からの電力供給を受け、作業者からの入力を受け付ける。作業者からの入力を受理した場合、識別・履歴情報記憶部１２０が記憶する識別情報や履歴情報を取得し、表示部１３０に送信する。
【００２０】
太陽電池部１５０は、表示部１３０と操作部１４０の稼働に必要な電力を、太陽電池を用いて出力する。無線タグ部１７０の稼働に必要な電力を出力する必要はない。
【００２１】
機能切替部１６０は、図示しない記憶部に記憶される、後述する提供機能を判定するための基準を記録した辞書（提供機能判定辞書）を参照し、情報記憶媒体１００の状態に基づき、情報記憶媒体１００が提供する機能を選択する。
【００２２】
具体的に、機能切替部１６０は情報記憶媒体１００がホストコンピュータ２００とバスインタフェースで接続しているか否か、無線タグ部１７０とホストコンピュータ２００の無線通信部２７０とで無線インタフェースで接続しているか否か、太陽電池部１５０が電力供給しているか否か、をそれぞれ検知して、それらの結果に基づき、情報記憶媒体１００が提供する機能（提供機能）を判定する。
【００２３】
図３は、提供機能判定辞書の一例を示す図である。図４は、提供機能判定辞書の別の一例を示す図である。なお、図３と図４では、第１乃至第３行目の左端に記載されているそれぞれの条件に関して、第４行目に記載されている提供機能が“ＯＫ”の場合を“１”、“ＮＧ”の場合を“０”とする。例えば、バスインタフェースでの接続が“１”、無線インタフェースでの接続が“１”、太陽電池部１５０からの電源供給が“０”である場合（図３の第３列）、バスインタフェースでの接続がなされ、無線インタフェースでの接続もなされているが、太陽電池部１５０が遮光されている等の原因により電源供給されていない状態を表している。また、バスインタフェースでの接続が“１”、無線インタフェースでの接続が“０”、太陽電池部１５０からの電源供給が“１”である場合（図３の第４列）、バスインタフェースでの接続がなされ、太陽電池部１５０から電源供給されているが、ＩＣタグリーダや通信機の不足や非稼働により、無線インタフェースでの接続がなされていない状態を表している。また、バスインタフェースでの接続が“０”、無線インタフェースでの接続が“１”、太陽電池部１５０からの電源供給が“１”である場合（図３の第６列）、無線インタフェースでの接続がなされ、太陽電池部１５０から電源供給されているが、ホストコンピュータ２００がない、もしくは、ホストコンピュータ２００の故障、ケーブル外れにより、バスインタフェースでの接続がなされていない状態を表している。
【００２４】
具体的に、図３の提供機能判定辞書では、情報記憶媒体１００とホストコンピュータ２００とがバスインタフェースにて接続している場合、バスインタフェースでの接続によるデータの相互アクセスが可能である。このデータは、識別・履歴情報記憶部１２０が記憶する識別情報や履歴情報を含む。また、バスインタフェースが未接続かつ無線タグ部１７０とホストコンピュータ２００の無線通信部２７０とが無線インタフェースにて接続している場合、無線インタフェースでの接続による識別情報や履歴情報の通信（送信）が可能である。また、バスインタフェース及び無線インタフェースが未接続かつ太陽電池部１５０が電力供給している場合、表示部１３０への識別・履歴情報記憶部１２０が記憶する識別情報や履歴情報の表示が可能である。なお、バスインタフェースでの接続や無線インタフェースでの接続の判定および太陽電池部１５０の電力供給の判定の際、それぞれのインタフェース間にセンサを備え、それぞれのセンサの通信の有無もしくは電力供給の有無の結果が利用されてもよい。
【００２５】
また、提供機能判定辞書の内容を編集することにより、情報記憶媒体１００は異なった機能を提供することが可能である。図４に示す提供機能判定辞書は、バスインタフェースにて接続している場合かつ無線インタフェースにて接続している場合にのみ、バスインタフェースでの接続による識別・履歴情報記憶部１２０が記憶する識別情報や履歴情報を含むデータの相互アクセスを可能にするための、提供機能の判定基準を登録した辞書である。
【００２６】
機能切替部１６０は、以上の図３または図４に示す提供機能判定辞書を選択の判定基準として参照することで情報記憶媒体１００が提供する機能（提供機能）を選択する。これにより、本発明の実施の形態は、第三者が不正に情報記憶媒体１００を抜き取り、別のホストコンピュータに接続することによる情報記憶媒体１００の情報取得および改ざんを防止する。また、保守作業時、誤って作業員が情報記憶媒体１００の情報を削除してしまうことを防止する。
【００２７】
また、提供機能判定辞書の判定の条件に、更に情報記憶媒体１００のスピンドルモータの駆動の可否等が追加し、情報記憶媒体１００が提供する機能をより細分化しても構わない。
【００２８】
表示部１３０と操作部１４０と太陽電池部１５０は、具体的には卓上計算機（電卓）等で利用されている太陽電池式の液晶表示機で実現可能である。太陽電池部１５０である太陽電池が電力供給できる場合、操作部１４０である卓上計算機のボタンを押すことで、表示部１３０である液晶表示は、識別情報や履歴情報を表示する。
【００２９】
無線タグ部１７０は、ホストコンピュータ２００の無線通信部２７０から無線インタフェースでの接続による電波エネルギー供給を受け、識別・履歴情報記憶部１２０に格納された識別情報や履歴情報を無線通信部２７０に送信する。また、ホストコンピュータ２００から、たとえば情報記憶媒体１００制御用ファームウェアのような所定のプログラムを無線インタフェースでの接続により受信するようにしてもよい。
【００３０】
次に、本発明の第１の実施の形態の効果について説明する。
【００３１】
上述した本実施形態における情報記憶媒体は、情報記憶媒体の状態情報、すなわち個体識別情報や履歴情報をホストコンピュータにバスインタフェースにて接続することなくＩＣタグを使用した無線通信によりリモートで確認できるだけではなく、更に情報記憶媒体単体で情報を参照できる。
【００３２】
その理由は、以下のような構成を含むからである。即ち、第１に識別・履歴情報記憶部１２０は、ストレージ部１１０が出力した識別情報や履歴情報を逐次記憶する。第２に、機能切替部１６０は、情報記憶媒体１００の状態に基づき、情報記憶媒体１００が提供する機能を選択する。第３に、無線タグ部１７０とホストコンピュータ２００の無線通信部２７０とが無線インタフェースで接続している場合は、無線インタフェースでの接続によるホストコンピュータ２００への識別・履歴情報記憶部１２０が記憶する識別情報や履歴情報の送信が可能である。第４に、太陽電池部１５０が電力供給している場合は、操作部１４０の操作により、表示部１３０への識別・履歴情報記憶部１２０が記憶する識別情報や履歴情報の表示が可能である。
【００３３】
これにより、情報記憶媒体１００の状態に基づき、バスインタフェースで接続していない場合でも、情報記憶媒体１００は、無線インタフェースでの接続によるホストコンピュータ２００への識別情報や履歴情報の送信を可能とする。また同様に、情報記憶媒体１００の状態に基づき、バスインタフェースで接続していない場合でも、操作部１４０の操作により、表示部１３０への識別情報や履歴情報の表示が可能となる。このことにより、ホストコンピュータ２００の管理者が、情報記憶媒体の状態情報、すなわち個体識別情報や履歴情報をホストコンピュータにバスインタフェースで接続することなくＩＣタグを使用した無線通信によりリモートで確認できる。また、更に保守の作業員が、情報記憶媒体単体で個体識別情報や履歴情報を参照できるという効果が得られる。したがって、結果的に保守費用を削減できるという効果も奏する。
【００３４】
また、ホストコンピュータ２００は、情報記憶媒体を制御して、図３または図４に示す提供機能判定辞書の内容を編集するようしてもよい。このことにより、提供機能またはその条件を変更することが可能である。たとえばホストコンピュータ２００は、情報記憶媒体１００を制御し、バスインタフェースと無線インタフェース両方で接続している場合のみ、情報記憶媒体１００とホストコンピュータ２００とのバスインタフェースでの接続による識別情報や履歴情報を含むデータの相互アクセスを可能とするよう、提供機能判定辞書の内容を変更できる。この場合、第三者が不正に情報記憶媒体１００を抜き取り、別のホストコンピュータに接続し情報記憶媒体１００の情報取得および改ざんすることを防止できる。また、保守作業時、誤って作業員が情報記憶媒体１００の情報を削除してしまうことを防止できる。
【００３５】
また、無線タグ部１７０がホストコンピュータ２００の無線通信部２７０から、たとえば情報記憶媒体１００制御用ファームウェアのような所定のプログラムを無線インタフェースでの接続により受信する場合、情報記憶媒体１００をホストコンピュータ２００に接続せずに所定のプログラムの更新が可能になるため、情報記憶媒体１００を保守用に保管している場合の所定のプログラムの更新の作業が簡素化される。
【００３６】
以上説明した、本発明の各実施形態における各構成要素は、その機能をハードウェア的に実現することはもちろん、プログラム制御に基づくコンピュータ装置、ファームウェアで実現することができる。プログラムは、磁気ディスクや半導体メモリなどのコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施の形態における構成要素として機能させる。
【００３７】
以上、各実施の形態を参照して本発明を説明したが、本発明は上記実施の形態に限定されるものではない。本発明の構成や詳細には、本発明のスコープ内で当業者が理解しえる様々な変更をすることができる。
【００３８】
たとえば、以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【符号の説明】
【００３９】
１００    情報記憶媒体
１１０    ストレージ部
１２０    識別・履歴情報記憶部
１３０    表示部
１４０    操作部
１５０    太陽電池部
１６０    機能切替部
１７０    無線タグ部
２００    ホストコンピュータ
２７０    無線通信部
【図１】
2016181315.tif 000003
【図２】
2016181315.tif 000004
【図３】
2016181315.tif 000005
【図４】
2016181315.tif 000006